(57)【特許請求の範囲】
【請求項１】
乗車券の識別情報を読み取る複数の自動改札機と通信する通信部と、
前記乗車券の識別情報と、前記乗車券に対応付けられてチャージされた電子マネーの残高情報を含む効力情報とを対応づけて記憶する記憶部と、を備え、
前記通信部が前記複数の自動改札機のうち入場側自動改札機から前記乗車券の識別情報および前記入場側自動改札機の設置駅の情報を含む第１の判定要求情報を受信した場合、前記記憶部に記憶された前記残高情報に基づいて、前記入場側自動改札機に対して前記乗車券を提示した利用者の入場可否を示す情報を送信すると共に、前記複数の自動改札機の一部または全部が設置された出場駅となり得る駅ごとに、前記残高情報と前記入場側自動改札機の設置駅の情報とに基づいて前記乗車券を提示した利用者の出場可否を示す情報であって前記乗車券の識別情報が出場可否に対応付けられた情報を生成して前記記憶部に記憶させ、
前記通信部が前記複数の自動改札機のうち出場側自動改札機から前記乗車券の識別情報および前記出場側自動改札機の設置駅の情報を含む第２の判定要求情報を受信した場合、前記乗車券の識別情報および前記出場側自動改札機の設置駅の情報を用いて前記記憶部を検索し、検索結果に基づく出場可否を示す情報を、前記通信部を用いて前記出場側自動改札機に送信する、
改札管理装置。
【請求項２】
乗車券の識別情報を読み取る複数の自動改札機と通信する通信部と、
前記乗車券の識別情報と、前記乗車券に対応付けられてチャージされた電子マネーの残高情報を含む効力情報とを対応づけて記憶する記憶部と、を備え、
前記通信部が前記複数の自動改札機のうち入場側自動改札機から前記乗車券の識別情報および前記入場側自動改札機の設置駅の情報を含む第１の判定要求情報を受信した場合、前記記憶部に記憶された前記残高情報に基づいて、前記入場側自動改札機に対して前記乗車券を提示した利用者の入場可否を示す情報を送信すると共に、前記複数の自動改札機の一部または全部が設置された出場駅となり得る駅ごとに、前記残高情報と前記入場側自動改札機の設置駅の情報とに基づいて前記乗車券を提示した利用者の出場可否を示す情報であって前記乗車券の識別情報が出場可否に対応付けられた情報を生成し、前記生成した情報を、任意のタイミングで前記複数の自動改札機の一部または全部に送信する、
改札管理装置。
【請求項３】
前記通信部は、自装置とは異なる他の改札管理装置と通信をし、
前記第１の判定要求情報を受信した場合、自身の管轄する領域内の自動改札機について、前記乗車券を提示した利用者の出場可否を示す情報を生成すると共に、自身の管轄する領域外の自動改札機についての第３の判定要求情報を、前記通信部を用いて前記他の改札管理装置に送信し、
前記通信部により前記他の改札管理装置から前記第３の判定要求情報が受信された場合、前記第３の判定要求情報に基づいて、自身の管轄する領域内の自動改札機の一部または全部について前記乗車券を提示した利用者の出場可否を示す情報を生成する、
請求項１または２に記載の改札管理装置。
【請求項４】
請求項１乃至請求項３のいずれか１項に記載の改札管理装置と、
前記改札管理装置と通信する自動改札機側通信部と、前記乗車券から識別情報を読み取る読取部と、前記読取部により読み取った前記識別情報および自装置の設置駅の情報を、前記自動改札機側通信部を用いて前記改札管理装置に送信すると共に、前記自動改札機側通信部により前記改札管理装置から受信された入場可否または出場可否の判定結果に基づいて利用者の通過を許可または拒否する自動改札機側制御部と、を有する自動改札機と、
を備える、自動改札機システム。
【請求項５】
前記自動改札機は、自動改札機側記憶部を備え、
前記自動改札機側制御部は、前記自動改札機側通信部により前記改札管理装置から受信した前記乗車券の識別情報および前記出場可否の判定結果を前記自動改札機側記憶部に記憶させ、前記読取部により読み取られた前記識別情報が前記自動改札機側記憶部に記憶された前記乗車券の識別情報と一致した場合に、前記識別情報が一致した前記乗車券を提示した利用者の出場を許可する、
請求項４に記載の、自動改札機システム。
【発明の詳細な説明】
【技術分野】
【０００１】
本発明の実施形態は、改札管理装置、および自動改札機システムに関する。
【背景技術】
【０００２】
駅務機器は、乗車券から情報を読み取った場合に、読み取った情報を上位装置に送信し、上位装置から受信した判定結果に基づいて駅務処理を行っている。駅務装置は、上位装置による判定処理を行っている期間において待機する必要があり、乗車券から情報を読み取ってから駅務処理を完了するまでの処理時間が長くなる場合があった。
【先行技術文献】
【特許文献】
【０００３】
【特許文献１】特開２０１１−８５８８号公報
【発明の概要】
【発明が解決しようとする課題】
【０００４】
本発明が解決しようとする課題は、駅務処理の処理時間を短縮することができる改札管理装置、および自動改札機システムを提供することである。
【課題を解決するための手段】
【０００５】
実施形態の改札管理装置は、通信部と、記憶部とを持つ。通信部は、乗車券の識別情報を読み取る複数の自動改札機と通信する。記憶部は、前記乗車券の識別情報と、前記乗車券に対応付けられてチャージされた電子マネーの残高情報を含む効力情報とを対応づけて記憶する。改札管理装置は、前記通信部が前記複数の自動改札機のうち入場側自動改札機から前記乗車券の識別情報および前記入場側自動改札機の設置駅の情報を含む第１の判定要求情報を受信した場合、前記記憶部に記憶された前記残高情報に基づいて、前記入場側自動改札機に対して前記乗車券を提示した利用者の入場可否を示す情報を送信すると共に、前記複数の自動改札機の一部または全部が設置された出場駅となり得る駅ごとに、前記残高情報と前記入場側自動改札機の設置駅の情報とに基づいて前記乗車券を提示した利用者の出場可否を示す情報であって前記乗車券の識別情報が出場可否に対応付けられた情報を生成して前記記憶部に記憶させ、前記通信部が前記複数の自動改札機のうち出場側自動改札機から前記乗車券の識別情報および前記出場側自動改札機の設置駅の情報を含む第２の判定要求情報を受信した場合、前記乗車券の識別情報および前記出場側自動改札機の設置駅の情報を用いて前記記憶部を検索し、検索結果を、前記通信部を用いて前記出場側自動改札機に送信する。
【図面の簡単な説明】
【０００６】
【図１】第１の実施形態の自動改札機システム１の一例を示す図。
【図２】第１の実施形態のＩＣカード１０の一例を示す図。
【図３】第１の実施形態のセンターサーバ１００の一例を示すブロック図。
【図４】第１の実施形態のサーバ側記憶部１３０に記憶されるアカウントＩＤデーターベース１３２の一例を示す図。
【図５】第１の実施形態のサーバ側記憶部１３０に記憶される出場可否データーベース１３４の一例を示す図。
【図６】第１の実施形態の自動改札機３００を上方から見た図である。
【図７】第１の実施形態の自動改札機３００の一例を示すブロック図。
【図８】第１の実施形態の発券機４００の一例を示すブロック図。
【図９】第１の実施形態のＩＣカード１０、センターサーバ１００、入場側自動改札機３００Ａ、および出場側自動改札機３００Ｂの動作の流れの一例を示す図。
【図１０】第１の実施形態のＩＣカード１０、センターサーバ１００、入場側自動改札機３００Ａ、および出場側自動改札機３００Ｂの動作の流れの他の一例を示す図。
【図１１】第１の実施形態の自動改札機３００に記憶する情報３４０Ａの一例を示す図。
【図１２】第２の実施形態の自動改札機システム１Ａの一例を示す図。
【図１３】第２の実施形態のＩＣカード１０、センターサーバ１００Ａおよび１００Ｂ、入場側自動改札機３００ａ、および出場側自動改札機３００ｂの動作の流れの他の一例を示す図。
【発明を実施するための形態】
【０００７】
以下、実施形態の改札管理装置、および自動改札機システムを、図面を参照して説明する。
【０００８】
実施形態の自動改札機システムの説明では、「乗車券」の一例として交通系のＩＣ（Integrated Circuit）カードを例示するが、「乗車券」は、交通系のＩＣカードと同様の決済機能を有する携帯端末などの電子媒体であってもよい。また、乗車券は、ＩＣカードのように情報を記憶し、および情報を書き込み可能なものに限られない。乗車券は、情報が読み取り可能であって、情報が書き込み可能でなくてもよい。さらに、乗車券は、無線通信により情報を通信してもよいが、これに限定されず、磁気的に情報が読み取り可能な媒体であってもよく、バーコードやＱＲコード（登録商標）などの表示オブジェクトにより情報が読み取り可能な媒体であってもよい。
【０００９】
（第１の実施形態）
図１は、第１の実施形態の自動改札機システム１の一例を示す図である。自動改札機システム１は、例えば、センターサーバ１００と、複数の中継装置２００−１、・・・２００−Ｎと、複数の自動改札機３００−１、・・・３００−Ｎと、発券機４００とを含む。図１におけるＭおよびＮは任意の自然数である。以下の説明において、中継装置を他の中継装置と区別しない場合には「中継装置２００」と記載し、自動改札機を他の自動改札機と区別しない場合には「自動改札機３００」と記載する。
【００１０】
中継装置２００−１、自動改札機３００−１、および発券機４００は、例えば駅（１）に設置され、中継装置２００−２〜２００−Ｎ、および自動改札機３００−２〜３００−Ｎは、例えば駅（２）〜駅（Ｎ）に設置される。以下、駅（１）は入場駅であるものとし、駅（２）〜（Ｎ）は出場駅の候補であるものとして説明する。
【００１１】
中継装置２００、自動改札機３００、および発券機４００は、例えば、センターサーバ１００と通信可能な駅務機器である。センターサーバ１００は、例えば、通信可能な中継装置２００、自動改札機３００、および発券機４００と通信回線を介して接続される。通信回線は、例えば、ＷＡＮ（Wide Area Network）や、ＶＰＮ（Virtual Private Network）等などのネットワークである。
【００１２】
中継装置２００は、例えば、通信インターフェース回路と、自動改札機３００などの状態を監視する監視盤とを含む。中継装置２００の通信インターフェース回路は、例えば、センターサーバ１００と通信するＷＡＮやＶＰＮなどのインターフェースと、自動改札機３００または発券機４００と通信する例えばＬＡＮ（Local Area Network）などのインターフェースとを含む。
【００１３】
中継装置２００は、通信回線を介してセンターサーバ１００と通信を行うと共に、自動改札機３００および発券機４００と通信を行う。なお、図１において、中継装置２００に自動改札機３００および発券機４００が接続されてよいが、これに限定されない。中継装置２００には、自動改札機３００および発券機４００の他に精算機、電子マネーチャージ機、定期券発行機などの駅務機器のうち一部が接続されていればよい。
【００１４】
図２は、第１の実施形態のＩＣカード１０の一例を示す図である。ＩＣカード１０は、例えば、樹脂などのカード基材にＩＣチップ（ＩＣモジュール）が埋め込まれた媒体である。ＩＣカード１０は、ＲＦＩＤ（Radio Frequency Identifier）技術によって、自動改札機３００および発券機４００により識別情報が読み取られる。ＩＣカード１０は、例えば、カード側通信部１２、カード側記憶部１４、およびカード側制御部１６を含む。
【００１５】
カード側記憶部１４には、識別情報としてアカウントＩＤ１４Ａが記憶されている。アカウントＩＤ１４Ａは、ＩＣカード１０を一意に特定する識別情報である。カード側制御部１６は、カード側通信部１２によって受信されたコマンドに応答して、カード側通信部１２を用いて、アカウントＩＤ１４Ａを送信する。また、カード側制御部１６は、カード側通信部１２によってアカウントＩＤの書き込み要求を受信した場合、アカウントＩＤ１４Ａをカード側記憶部１４に書き込む。アカウントＩＤ１４Ａは、ＩＣカード１０の識別情報がエンコードされた情報である。エンコードとは、情報を、符号化、記号化、その他の手法により、人が内容を直接的に認識できない状態に変換することをいう。
【００１６】
図３は、第１の実施形態のセンターサーバ１００の一例を示すブロック図である。センターサーバ１００は、例えば、サーバ側通信部１１０と、サーバ側制御部１２０と、サーバ側記憶部１３０とを含む。センターサーバ１００は、改札管理装置の一例である。
【００１７】
サーバ側制御部１２０は、例えばＣＰＵ（Central Processing Unit）等のプロセッサがプログラムメモリに格納されたプログラムを実行することにより実現される。また、これらの機能部のうち一部または全部は、ＬＳＩ（Large Scale Integration）、ＡＳＩＣ（Application Specific Integrated Circuit）、またはＦＰＧＡ（Field-Programmable Gate Array）等のハードウェアにより実現されてもよい。サーバ側制御部１２０は、センターサーバ１００の動作を統括的に制御する。
【００１８】
サーバ側通信部１１０は、通信回線および中継装置２００を介して自動改札機３００および発券機４００と通信を行う。サーバ側通信部１１０は、自動改札機３００および発券機４００により送信された情報を受信した場合、受信した情報をサーバ側制御部１２０に出力する。また、サーバ側通信部１１０は、サーバ側制御部１２０により自動改札機３００および発券機４００に送信する情報が供給された場合に、自動改札機３００および発券機４００に情報を送信する。
【００１９】
サーバ側記憶部１３０は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。また、サーバ側記憶部１３０には、アプリケーションプログラムなどの各種プログラム、サーバ側通信部１１０による処理結果などが記憶される。
【００２０】
サーバ側記憶部１３０には、例えば、アカウントＩＤ１３０Ａと、効力情報１３０Ｂとを対応づけたアカウントＩＤデーターベース１３２が記憶されている。図４は、第１の実施形態のサーバ側記憶部１３０に記憶されるアカウントＩＤデーターベース１３２の一例を示す図である。アカウントＩＤ１３０Ａは、ＩＣカード１０を一意に特定する情報である。効力情報１３０Ｂは、自動改札機３００および発券機４００が動作するために必要な情報である。効力情報１３０Ｂは、例えば、乗車券情報と残額情報とを含む。乗車券情報は、ＩＣカード１０の効力を示す。すなわち、乗車券情報は、ＩＣカード１０の利用可能な範囲を規定する情報である。乗車券情報は、例えば利用区間および日付、利用可能金額、入場駅と出場駅といったように、様々に設定される。残額情報は、ＩＣカード１０の電子マネーのチャージ残高などを含む。
【００２１】
更に、サーバ側記憶部１３０には、アカウントＩＤ１３０Ａに、出場駅情報１３０Ｃおよび通過可否の判定結果１３０Ｄを対応づけた出場可否データーベース１３４が記憶されている。図５は、第１の実施形態のサーバ側記憶部１３０に記憶される出場可否データーベース１３４の一例を示す図である。出場駅情報１３０Ｃおよび通過可否の判定結果１３０Ｄは、アカウントＩＤ１３０Ａごとにサーバ側記憶部１３０に記憶される。出場駅情報１３０Ｃは、センターサーバ１００が管轄する領域内において自動改札機３００が設置された複数の駅のうち、入場駅を除いた出場駅候補の駅（２）〜（Ｎ）を特定する情報である。通過可否の判定結果１３０Ｄは、アカウントＩＤ１３０ＡのＩＣカード１０を保持した利用者が出場駅候補の駅（２）〜（Ｎ）に設置された自動改札機３００（２）〜（Ｎ）を通過できるか否かを判定した結果を表す情報である。通過可否の判定結果１３０Ｄは、例えば、許可を表す情報、拒否を表す情報、または許可に乗り越し精算額を付加した情報である。
【００２２】
以下、自動改札機３００について説明する。図６は、第１の実施形態の自動改札機３００を上方から見た図である。図７は、第１の実施形態の自動改札機３００の一例を示すブロック図である。自動改札機３００は、例えば、図６に示すように、通路を挟んで対向配置される主機３０２と、補機３０４とを含む。主機３０２は、例えば、ＣＰＵ３１２と、ＩＤ読取部３３０と、扉部３７２と、上面表示部３５２および正面表示部３５４と、を含む。また、補機３０４は、扉部３７４を含む。自動改札機３００は、図６に示したものに加えて、例えば、図７に示すように、改札側制御部３１０、改札側通信部３２０と、改札側記憶部３４０と、音声出力部３６０と、扉駆動部３７０とを含む。
【００２３】
改札側制御部３１０は、例えばＣＰＵ３１２などのプロセッサがプログラムメモリに格納されたプログラムを実行することにより実現される。また、これらの機能部のうち一部または全部は、ＬＳＩ、ＡＳＩＣ、またはＦＰＧＡなどのハードウェアにより実現されてもよい。改札側制御部３１０は、自動改札機３００の各部を統括的に制御する。改札側制御部３１０は、自動改札機３００の各部を用いて、利用者の通過を許可または拒否する。
【００２４】
改札側通信部３２０は、ＬＡＮなどの通信インターフェース回路である。改札側通信部３２０は、中継装置２００を介してセンターサーバ１００と通信を行う。改札側通信部３２０は、ＩＤ読取部３３０により読み取られたアカウントＩＤ１４Ａをセンターサーバ１００に送信する。改札側通信部３２０は、センターサーバ１００により送信された情報を受信した場合、受信した情報を改札側制御部３１０に出力する。
【００２５】
ＩＤ読取部３３０は、例えば、アンテナおよび通信回路などを備える無線通信装置である。ＩＤ読取部３３０は、図６の進入方向に通過しようとする利用者によって翳されたＩＣカード１０に記憶されたアカウントＩＤ１４Ａを読み取って、読み取ったアカウントＩＤ１４Ａを改札側制御部３１０に送信する。なお、ＩＤ読取部３３０は、ＩＣカード１０のアカウントＩＤ１４Ａを読み取るものであってもよいが、これに限定されず、乗車券が磁気券である場合には磁気的にアカウントＩＤ１４Ａを読み取り、または乗車券が表示オブジェクトを撮像および解析してアカウントＩＤ１４Ａを読み取る。
【００２６】
改札側記憶部３４０は、例えば、ＨＤＤ、フラッシュメモリ、ＥＥＰＲＯＭ、ＲＯＭ、またはＲＡＭなどにより実現される。また、改札側記憶部３４０には、ファームウェアやアプリケーションプログラムなどの各種プログラム、各種機能部による処理結果などが記憶される。また、改札側記憶部３４０には、ＩＤ読取部３３０により読み取られたアカウントＩＤ１４Ａや、改札側通信部３２０により受信した情報が記憶されている。
【００２７】
表示部３５０には、上面表示部３５２および正面表示部３５４が含まれる。上面表示部３５２は、ＩＤ読取部３３０にＩＣカード１０が翳された場合に、改札側制御部３１０によって処理された結果を表示する。正面表示部３５４は、図６の進行方向に通過可能であるか否かを示すマークや図形、文字などの画像を表示する。正面表示部３５４の表示内容または表示の有無は、改札側制御部３１０によって決定される。
【００２８】
音声出力部３６０は、利用者に通知する各種の音声、およびブザー音を出力する。扉駆動部３７０は、改札側制御部３１０の制御に従って、扉部３７２および扉部３７４を動作させる。扉部３７２および扉部３７４は、利用者の通過を拒否する場合に、閉動作する。
【００２９】
図８は、第１の実施形態の発券機４００の一例を示すブロック図である。発券機４００は、例えば、発券側制御部４１０と、発券側通信部４２０と、ＩＤ読取部４３０と、発券側記憶部４４０と、表示部４５０と、操作部４６０と、金銭処理部４７０と、印刷部４８０とを含む。
【００３０】
発券側制御部４１０は、例えばＣＰＵなどのプロセッサがプログラムメモリに格納されたプログラムを実行することにより実現される。また、これらの機能部のうち一部または全部は、ＬＳＩ、ＡＳＩＣ、またはＦＰＧＡなどのハードウェアにより実現されてもよい。発券側制御部４１０は、発券機４００の各部を用いて、乗車券としてのＩＣカード１０を発行する。
【００３１】
発券側通信部４２０は、ＬＡＮなどの通信インターフェース回路である。発券側通信部４２０は、中継装置２００を介してセンターサーバ１００と通信を行う。発券側通信部４２０は、ＩＤ読取部４３０により読み取られたアカウントＩＤ１４Ａをセンターサーバ１００に送信する。改札側通信部３２０は、センターサーバ１００により送信された情報を受信した場合、受信した情報を発券側制御部４１０に出力する。
【００３２】
ＩＤ読取部４３０は、例えば、アンテナおよび通信回路などを備える無線通信装置である。ＩＤ読取部４３０は、挿入口（不図示）に挿入されたＩＣカード１０に記憶されたアカウントＩＤ１４Ａを読み取って、読み取ったアカウントＩＤ１４Ａを発券側制御部４１０に送信する。なお、ＩＤ読取部４３０は、ＩＣカード１０のアカウントＩＤ１４Ａを読み取るものであってもよいが、これに限定されず、乗車券が磁気券である場合には磁気的にアカウントＩＤ１４Ａを読み取り、または乗車券に表示オブジェクトが印刷されている場合には表示オブジェクトを撮像および解析してアカウントＩＤ１４Ａを読み取る。
【００３３】
発券側記憶部４４０は、例えば、ＨＤＤ、フラッシュメモリ、ＥＥＰＲＯＭ、またはＲＡＭなどにより実現される。また、発券側記憶部４４０には、ファームウェアやアプリケーションプログラムなどの各種プログラム、各種機能部による処理結果などが記憶される。また、発券側記憶部４４０には、ＩＤ読取部４３０により読み取られたアカウントＩＤ１４Ａや、発券側通信部４２０により受信した情報が記憶されている。
【００３４】
表示部４５０は、例えば、液晶ディスプレイである。表示部４５０は、発券処理の指示を受け付けるための画像などを表示する。表示部４５０は、ボタンやタッチパネルなどの操作デバイスである。表示部４５０は、利用者の操作を受け付けて、操作内容を示す情報を発券側制御部４１０に出力する。金銭処理部４７０は、例えば、投入された紙幣や硬貨をカウントし、発券の代金を超過した釣銭を紙幣や硬貨として購入者に返却する。
【００３５】
印刷部４８０は、ＩＣカード１０の券面に形成された染料を加熱するヒータなどを含む。印刷部４８０は、発券側制御部４１０の制御に従って動作する。印刷部４８０は、ＩＣカード１０の券面に、利用期間および利用区間などの情報を印刷する。
【００３６】
発券機４００は、乗車券を発行する場合、利用者の操作に基づいて、発券要求および発券条件を受け付ける。発券条件は、例えば、乗車券の利用期間および利用区間を含む。発券側制御部４１０は、発券要求および発券条件を受け付けた場合、発券側通信部４２０を用いて、発券要求および発券条件をセンターサーバ１００に送信する。
【００３７】
以下、第１の実施形態の自動改札機システム１おいて、センターサーバ１００により自動改札機３００からアカウントＩＤおよび入場駅の情報を受信した場合に、効力情報１３０Ｂに基づいて、複数の自動改札機３００の一部または全部についてＩＣカード１０を提示した利用者の通過の可否を判定する処理について説明する。図９は、第１の実施形態のＩＣカード１０、センターサーバ１００、入場側自動改札機３００Ａ、および出場側自動改札機３００Ｂの動作の流れの一例を示す図である。以下、入場駅に設置された自動改札機３００を「入場側自動改札機３００Ａ」と記載し、出場駅に設置された自動改札機３００を「出場側自動改札機３００Ｂ」と記載する。
【００３８】
入場側自動改札機３００Ａは、乗車券としてのＩＣカード１０がＩＤ読取部３３０に翳されることでＩＤ読取部３３０によりＩＣカード１０を検知したか否かを判定する（ステップＳ１００）。改札側制御部３１０は、ＩＣカード１０を検知した場合、ＩＤ読取部３３０を用いて、ＩＣカード１０のカード側記憶部１４に記憶されたアカウントＩＤ１４Ａを要求するコマンドを送信する。改札側制御部３１０は、ＩＤ読取部３３０を用いて、ＩＣカード１０からアカウントＩＤ１４Ａを含む応答を受信する。次に、改札側制御部３１０は、改札側通信部３２０を用いて、入場側自動改札機３００Ａの設置駅およびアカウントＩＤ１４Ａを含む通過可否の判定要求情報（第１の判定要求情報）をセンターサーバ１００に送信する。
【００３９】
センターサーバ１００は、入場側自動改札機３００Ａから通過可否の判定要求情報を受信した場合、入場判定処理を行う（ステップＳ１０２）。サーバ側制御部１２０は、通過可否の判定要求情報に含まれるアカウントＩＤ１４Ａに基づいて、サーバ側記憶部１３０に含まれるアカウントＩＤ１３０Ａに対応する効力情報１３０Ｂを抽出する。サーバ側制御部１２０は、抽出した効力情報１３０Ｂが入場条件を満たすか否かを判定する。サーバ側制御部１２０は、例えば、自動改札機３００の設置駅が乗車券情報の利用区間に含まれ、且つ現在の日時が乗車券情報の利用期間内である場合、または残額情報が所定の金額以上である場合、入場条件を満たすと判定する。サーバ側制御部１２０は、自動改札機３００の設置駅が乗車券情報の利用区間に含まれない、または現在の日時が乗車券情報の利用期間内ではない場合、または残額情報が所定の金額よりも少ない場合、入場条件を満たないと判定する。
【００４０】
サーバ側制御部１２０は、サーバ側通信部１１０を用いて、アカウントＩＤおよび入場判定結果を入場側自動改札機３００Ａに送信する。入場側自動改札機３００Ａは、改札側通信部３２０を用いてアカウントＩＤおよび入場判定結果を受信した場合、入場判定結果に基づいて利用者の通過を許可または拒否する（ステップＳ１０４）。
【００４１】
次にセンターサーバ１００は、出場判定処理を行う（ステップＳ１０６）。サーバ側制御部１２０は、予め設定された複数の自動改札機３００の一部または全部について、入場が許可された利用者が出場条件を満たすか否かを判定する。予め設定された自動改札機３００は、例えば、センターサーバ１００が管轄する領域内の駅に設置されている自動改札機３００の一部または全部である。これにより、センターサーバ１００は、自動改札機システム１における複数の自動改札機３００の一部または全部についてセンターサーバ１００を提示した利用者の通過可否を判定する（判定部）。
【００４２】
サーバ側制御部１２０は、入場判定処理により入場が許可されたアカウントＩＤに対応する乗車券情報をアカウントＩＤデーターベース１３２から抽出する。サーバ側制御部１２０は、例えば、出場駅が乗車券情報の利用区間に含まれ、且つ本日が乗車券情報の利用期間である場合、または残額情報が所定の金額以上である場合、出場条件を満たすと判定する。サーバ側制御部１２０は、出場駅が乗車券情報の利用区間に含まれない、または現在の日時が乗車券情報の利用期間内ではない場合、または残額情報が所定の金額よりも少ない場合、入場条件を満たないと判定する。サーバ側制御部１２０は、アカウントＩＤ１３０Ａに出場駅情報１３０Ｃおよび通過可否の判定結果１３０Ｄを対応づけて記憶することで、出場可否データーベース１３４を作成する。
【００４３】
次に、第１の実施形態の自動改札機システム１において、出場側自動改札機３００ＢからアカウントＩＤおよび出場駅の情報を含む通過可否の判定要求情報を受信した場合、アカウントＩＤおよび出場駅情報１３０Ｃに対応する通過可否の判定結果１３０Ｄを、自動改札機３００に送信する処理について説明する。
【００４４】
出場側自動改札機３００Ｂは、乗車券としてのＩＣカード１０がＩＤ読取部３３０に翳されることでＩＤ読取部３３０によりＩＣカード１０を検知したか否かを判定する（ステップＳ２００）。改札側制御部３１０は、ＩＣカード１０を検知した場合、ＩＤ読取部３３０を用いて、ＩＣカード１０のカード側記憶部１４に記憶されたアカウントＩＤ１４Ａを要求するコマンドを送信する。改札側制御部３１０は、ＩＤ読取部３３０を用いて、ＩＣカード１０からアカウントＩＤ１４Ａを含む応答を受信する。次に、改札側制御部３１０は、改札側通信部３２０を用いて、出場側自動改札機３００Ｂの設置駅の情報およびアカウントＩＤ１４Ａを含む通過可否の判定要求情報（第２の判定要求情報）をセンターサーバ１００に送信する。
【００４５】
センターサーバ１００は、サーバ側通信部１１０を用いて、出場側自動改札機３００Ｂにより送信された設置駅およびアカウントＩＤ１４Ａを含む通過可否の判定要求情報を受信する。サーバ側制御部１２０は、出場側自動改札機３００Ｂの設置駅およびアカウントＩＤ１４Ａに基づいて、検索処理を行う（ステップＳ２０２）。サーバ側制御部１２０は、出場可否データーベース１３４から、受信したアカウントＩＤ１４Ａおよび出場駅に関する通過可否の判定結果１３０Ｄを検索する。サーバ側制御部１２０は、検索結果としての出場駅に関する通過可否の判定結果１３０Ｄを、サーバ側通信部１１０を用いて、通過可否の判定要求情報の送信元の出場側自動改札機３００Ｂに送信する。
【００４６】
出場側自動改札機３００Ｂは、改札側通信部３２０を用いて出場駅に関する通過可否の判定結果１３０Ｄを受信した場合、出場駅に関する通過可否の判定結果１３０Ｄに基づいて利用者の通過を許可または拒否する（ステップＳ２０４）。
【００４７】
以上説明した第１の実施形態のセンターサーバ１００によれば、入場側自動改札機３００ＡからアカウントＩＤ１４Ａおよび入場駅の情報を受信した場合、効力情報１３０Ｂに基づいて、複数の自動改札機３００の一部または全部について利用者の通過の可否を判定し、出場側自動改札機３００ＢからアカウントＩＤ１４Ａおよび出場駅の情報を受信した場合、出場駅に関する通過可否の判定結果１３０Ｄを出場側自動改札機３００Ｂに送信する。これにより、センターサーバ１００によれば、出場側自動改札機３００Ｂから通過可否の判定要求情報を受信した場合に、通過可否判定処理を行うことなく、出場駅に関する通過可否の判定結果１３０Ｄを出場側自動改札機３００Ｂに送信することができる。この結果、センターサーバ１００によれば、通過可否の判定要求情報を受信してから出場駅に関する通過可否の判定結果１３０Ｄを送信するまでの時間を短縮することができるので、出場側自動改札機３００ＢにおいてＩＣカード１０を検知してから通過可否の制御を行うまでの時間を短縮することができる。
【００４８】
また、センターサーバ１００によれば、効力情報１３０Ｂに基づいて複数の自動改札機３００の一部または全部ついて利用者の通過の可否を判定して出場可否データーベース１３４を作成し、出場側自動改札機３００ＢからアカウントＩＤ１４Ａおよび出場駅の情報を受信した場合、アカウントＩＤ１４Ａおよび出場駅に対応する通過可否の判定結果１３０Ｄを出場可否データーベース１３４から検索し、検索した出場駅に関する通過可否の判定結果１３０Ｄを出場側自動改札機３００Ｂに送信する。これにより、センターサーバ１００によれば、判定要求情報に対して検索処理を行うだけで出場駅に関する通過可否の判定結果１３０Ｄを得ることができ、通過可否判定処理を行うよりも通過可否の判定要求情報を受信してから出場駅に関する通過可否の判定結果１３０Ｄを送信するまでの時間を短縮することができる。
【００４９】
以下、出場側自動改札機３００Ｂが設置された複数の自動改札機３００の一部または全部についての通過可否の判定結果１３０Ｄを、センターサーバ１００が管轄する領域内の自動改札機３００に送信することについて説明する。図１０は、第１の実施形態のＩＣカード１０、センターサーバ１００、入場側自動改札機３００Ａ、および出場側自動改札機３００Ｂの動作の流れの他の一例を示す図である。
【００５０】
センターサーバ１００は、出場側自動改札機３００Ｂが設置された複数の自動改札機３００の一部または全部について出場判定処理を行った後（ステップＳ１０６）、複数の自動改札機３００の一部または全部についての通過可否の判定結果１３０Ｄを入場側自動改札機３００Ａおよび出場側自動改札機３００Ｂに配信する配信処理を行う。サーバ側制御部１２０は、複数の自動改札機３００の一部または全部についての通過可否の判定結果１３０Ｄを、複数の自動改札機３００にブロードキャスト通信を用いて送信する。自動改札機３００は、複複数の自動改札機３００の一部または全部についての通過可否の判定結果１３０Ｄを受信した場合、受信した通過可否の判定結果１３０Ｄを改札側記憶部３４０に記憶する（ステップＳ２００）。これにより、自動改札機３００は、センターサーバ１００に記憶された出場可否データーベース１３４を改札側記憶部３４０に記憶する。
【００５１】
センターサーバ１００は、出場判定処理を行った後に通過可否の判定結果１３０Ｄを自動改札機３００に配信してもよいが、これに限定されず、任意のタイミングでサーバ側記憶部１３０を送信すればよい。センターサーバ１００は、例えば、自装置において入出場の判定処理および入場判定結果などの送信処理が行われていなく、自装置の処理負荷が低いタイミングで通過可否の判定結果１３０Ｄを送信してもよい。
【００５２】
サーバ側制御部１２０は、センターサーバ１００が管轄する領域内の全ての自動改札機３００に、通過可否の判定結果１３０Ｄを、ブロードキャスト通信を用いて送信してもよいが、これに限定されない。サーバ側制御部１２０は、複数の自動改札機３００の一部または全部についての通過可否の判定結果１３０Ｄのうち、出場駅に設置された自動改札機３００に、当該自動改札機３００が設置された通過可否の判定結果１３０Ｄを選択して送信してもよい。この場合、自動改札機３００は、アカウントＩＤ１３０Ａに通過可否の判定結果１３０Ｄを対応付けて記憶する。図１１は、第１の実施形態の自動改札機３００に記憶する情報３４０Ａの一例を示す図である。
【００５３】
出場側自動改札機３００Ｂは、乗車券としてのＩＣカード１０がＩＤ読取部３３０に翳されることでＩＤ読取部３３０によりＩＣカード１０を検知した場合（ステップＳ２００）、ＩＣカード１０からアカウントＩＤ１４Ａを受信する。出場側自動改札機３００Ｂは、ステップＳ１２０において記憶した通過可否の判定結果１３０Ｄのうち、出場駅に関する通過可否の判定結果１３０Ｄに基づいて、利用者の通過を許可または拒否する（ステップＳ２１０）。
【００５４】
センターサーバ１００は、複数の自動改札機３００の一部または全部についての通過可否の判定結果１３０Ｄの全部を自動改札機３００に配信してもよいが、これに限定されない。センターサーバ１００は、例えば、通過可否の判定結果１３０Ｄのうち、利用者の出場が許可された通過可否の判定結果１３０Ｄを自動改札機３００に配信してもよい。この場合、出場側自動改札機３００Ｂは、通過可否の判定要求情報に含まれるアカウントＩＤが改札側記憶部３４０に記憶されているアカウントＩＤに一致した場合に利用者の通過を許可し、通過可否の判定要求情報に含まれるアカウントＩＤが改札側記憶部３４０に記憶されているアカウントＩＤに一致しない場合に利用者の通過を拒否する。
【００５５】
以上説明した第１の実施形態のセンターサーバ１００によれば、効力情報１３０Ｂに基づいて複数の出場駅の一部または全部について利用者の通過の可否を判定した通過可否の判定結果１３０Ｄを自動改札機３００に配信する。これにより、自動改札機３００は、ＩＣカード１０を検知した場合に、センターサーバ１００から配信された通過可否の判定結果１３０Ｄに基づいて利用者の通過を許可または拒否することができる。これにより、自動改札機システム１によれば、自動改札機３００によりＩＣカード１０を検知してから利用者の通過を許可または拒否するまでの時間を短縮することができる。
【００５６】
（第２の実施形態）
以下、第２の実施形態について説明する。第２の実施形態の自動改札機システム１Ａは、通信回線を介してセンターサーバ１００同士で通信を行い、それぞれのセンターサーバ１００の管轄する領域内の自動改札機３００が設置された出場駅について通過可否を判定する点で、第１の実施形態の自動改札機システム１とは異なる。以下、この点を中心に説明し、第１の実施形態の自動改札機システム１と同じ部分についての説明を省略する。
【００５７】
図１２は、第２の実施形態の自動改札機システム１Ａの一例を示す図である。自動改札機システム１Ａは、センターサーバ１００Ａとセンターサーバ１００Ｂとが通信回線を介して通信を行う。センターサーバ１００Ａには、中継装置２００Ａ−１〜２００Ａ−Ｎを介して複数の自動改札機３００ａ−１〜３００ａ−Ｎが接続される。複数の自動改札機３００ａ−１〜３００ａ−Ｎは、センターサーバ１００Ａの管轄する領域内の自動改札機３００に相当する。センターサーバ１００Ｂには、中継装置２００Ｂ−１〜２００Ｂ−Ｎを介して複数の自動改札機３００ｂ−１〜３００ｂ−Ｎが接続される。複数の自動改札機３００ｂ−１〜３００ｂ−Ｎは、センターサーバ１００Ａの管轄する領域内の自動改札機３００に相当する。センターサーバ１００Ａおよびセンターサーバ１００Ｂの管轄する領域内は、例えば、事業者が管理する路線内の駅、またはエリアに含まれる路線内の駅であってもよい。
【００５８】
図１３は、第２の実施形態のＩＣカード１０、センターサーバ１００Ａおよび１００Ｂ、入場側自動改札機３００ａ、および出場側自動改札機３００ｂの動作の流れの他の一例を示す図である。図１３の説明において、入場側自動改札機を、センターサーバ１００Ａが管轄する領域内に含まれる「入場側自動改札機３００ａ」と記載し、出場側自動改札機を、センターサーバ１００Ｂが管轄する領域内に含まれる「出場側自動改札機３００ｂ」と記載する。
【００５９】
センターサーバ１００Ａは、自装置に記憶されているアカウントＩＤデーターベース１３２をセンターサーバ１００Ｂに送信する。これにより、センターサーバ１００Ｂは、センターサーバ１００Ａに記憶されているアカウントＩＤデーターベース１３２をサーバ側記憶部１３０に記憶する。センターサーバ１００Ｂは、自装置に記憶されているアカウントＩＤデーターベース１３２をセンターサーバ１００Ａに送信する。これにより、センターサーバ１００Ａは、センターサーバ１００Ｂに記憶されているアカウントＩＤデーターベース１３２をサーバ側記憶部１３０に記憶する。
【００６０】
入場側自動改札機３００ａは、乗車券としてのＩＣカード１０を検知した場合（ステップＳ１００ａ）、ＩＤ読取部３３０を用いて、ＩＣカード１０からアカウントＩＤ１４Ａを含む応答を受信する。次に、改札側制御部３１０は、改札側通信部３２０を用いて、入場側自動改札機３００ａの設置駅およびアカウントＩＤ１４Ａを含む通過可否の判定要求情報をセンターサーバ１００Ａに送信する。
【００６１】
センターサーバ１００Ａは、入場側自動改札機３００ａから通過可否要求を受信した場合、設置駅およびアカウントＩＤ１４Ａを含む通過可否の判定要求情報（第３の通過可否の判定要求情報）をセンターサーバ１００Ｂに送信する。センターサーバ１００Ｂは、センターサーバ１００Ａから設置駅およびアカウントＩＤ１４Ａを受信した場合、出場判定処理を行う（ステップＳ１０６ｂ）。センターサーバ１００Ｂは、予め設定された複数の自動改札機３００の一部または全部について、入場が許可された利用者の出場を許可するか否かを判定する。予め設定された複数の出場駅は、例えば、センターサーバ１００Ｂの管轄する領域内の自動改札機３００ｂ−１〜３００ｂ−Ｎが設置された駅である。これにより、センターサーバ１００は、自動改札機システム１における複数の自動改札機３００の一部または全部についてセンターサーバ１００を提示した利用者の通過可否を判定する（判定部）。
【００６２】
センターサーバ１００Ｂは、通過可否の判定要求情報に含まれるアカウントＩＤ１４Ａに対応する乗車券情報を、センターサーバ１００Ａから受信したアカウントＩＤデーターベース１３２から抽出する。センターサーバ１００Ｂは、乗車券情報の利用区間および利用期間、または残額情報に基づいて、出場条件を満たすか否かを判定する。センターサーバ１００Ｂは、アカウントＩＤ１３０Ａに出場駅情報１３０Ｃおよび通過可否の判定結果１３０Ｄを対応づけて記憶することで、出場可否データーベース１３４を作成する。
【００６３】
センターサーバ１００Ａは、入場側自動改札機３００ａから通過可否の判定要求情報を受信した場合、入場判定処理を行う（ステップＳ１０２ａ）。センターサーバ１００Ａは、サーバ側通信部１１０を用いて、アカウントＩＤおよび入場判定結果を入場側自動改札機３００ａに送信する。入場側自動改札機３００ａは、改札側通信部３２０を用いてアカウントＩＤおよび入場判定結果を受信した場合、入場判定結果に基づいて利用者の通過を許可または拒否する（ステップＳ１０４ｂ）。次にセンターサーバ１００Ａは、出場判定処理を行う（ステップＳ１０６ａ）。センターサーバ１００Ａは、予め設定された複数の自動改札機３００の一部または全部について、入場が許可された利用者が出場条件を満たすか否かを判定する。予め設定された複数の出場駅は、例えば、センターサーバ１００Ａの管轄する領域内の自動改札機３００ａ−１〜３００ａ−Ｎが設置された駅である。これにより、センターサーバ１００Ｂは、アカウントＩＤ１３０Ａに出場駅情報１３０Ｃおよび通過可否の判定結果１３０Ｄを対応づけて記憶することで、出場可否データーベース１３４を作成する。
【００６４】
次に、第２の実施形態の自動改札機システム１Ａにおいて、センターサーバ１００Ｂが出場側自動改札機３００ｂからアカウントＩＤおよび出場駅の情報を含む通過可否の判定要求情報を受信した場合、センターサーバ１００Ｂは、アカウントＩＤおよび出場駅情報１３０Ｃに対応する通過可否の判定結果１３０Ｄを、出場側自動改札機３００ｂに送信する処理について説明する。
【００６５】
出場側自動改札機３００ｂは、乗車券としてのＩＣカード１０を検知した場合（ステップＳ２００ｂ）、ＩＤ読取部３３０を用いて、アカウントＩＤ１４Ａを含む応答を受信する。次に、出場側自動改札機３００ｂは、出場側自動改札機３００ｂの設置駅の情報およびアカウントＩＤ１４Ａを含む通過可否の判定要求情報をセンターサーバ１００Ｂに送信する。
【００６６】
センターサーバ１００Ｂは、出場側自動改札機３００ｂにより送信された設置駅およびアカウントＩＤ１４Ａを受信した場合、出場側自動改札機３００Ｂの設置駅およびアカウントＩＤ１４Ａに基づいて、出場駅に関する通過可否の判定結果１３０Ｄの検索処理を行う（ステップＳ２０２ｂ）。センターサーバ１００Ｂは、出場可否データーベース１３４から検索した出場駅に関する通過可否の判定結果１３０Ｄを、出場側自動改札機３００Ｂに送信する。
【００６７】
出場側自動改札機３００ｂは、センターサーバ１００Ｂから出場駅に関する通過可否の判定結果１３０Ｄを受信した場合、出場駅に関する通過可否の判定結果１３０Ｄに基づいて利用者の通過を許可または拒否する（ステップＳ２０４ｂ）。
【００６８】
なお、センターサーバ１００Ａが入場側自動改札機３００ａから設置駅およびアカウントＩＤ１４Ａを含む通過可否の判定要求情報を受信した場合に、センターサーバ１００Ｂが出場可否データーベース１３４を作成する処理を説明したが、これに限らず、センターサーバ１００Ｂが自動改札機３００ｂから通過可否の判定要求情報を受信した場合に、センターサーバ１００Ａが出場可否データーベース１３４を作成する処理を行うことができる。
【００６９】
以上説明した第２の実施形態のセンターサーバ１００Ａは、入場側自動改札機３００ａからアカウントＩＤおよび入場駅の情報を含む通過可否の判定要求情報を受信した場合、受信した通過可否の判定要求情報を、センターサーバ１００Ｂに送信する。また、センターサーバ１００Ａは、センターサーバ１００Ｂから通過可否の判定要求情報を受信した場合、自動改札機３００ａ−１〜３００ａ−Ｎが設置された出場駅に関する利用者の通過の可否を判定して、出場可否データーベース１３４を作成する。第２の実施形態のセンターサーバ１００によれば、自装置が管轄する領域な範囲を超えて出場可否データーベース１３４を作成することができ、他のセンターサーバ１００が管轄する領域の自動改札機３００を通過した利用者について出場の可否を判定することができる。
【００７０】
以上説明した少なくともひとつの実施形態によれば、サーバ側通信部１１０が複数の自動改札機３００のうち一つからアカウントＩＤおよび第１の判定要求情報を受信した場合、サーバ側記憶部１３０に記憶された効力情報１３０Ｂに基づいて、複数の自動改札機３００の一部または全部についてＩＣカード１０を提示した利用者の通過可否を判定する判定部（１２０）と、サーバ側通信部１１０が複数の自動改札機３００のうち一つからアカウントＩＤおよび第２の判定要求情報を受信した場合、アカウントＩＤ、および第２の判定要求情報に含まれる出場駅の情報に関する通過可否の判定結果を、サーバ側通信部１１０を用いて第２の判定要求情報の送信元の自動改札機３００に送信するサーバ側制御部１２０を持つことにより、出場側自動改札機３００Ｂから通過可否の判定要求情報を受信した場合に、判定処理を行うことなく通過可否の判定結果を出場側自動改札機３００Ｂに送信することができる。この結果、少なくともひとつの実施形態によれば、通過可否の判定要求情報を受信してから通過可否の判定結果を送信するまでの時間を短縮することができるので、出場側自動改札機３００ＢにおいてＩＣカード１０を検知してから通過可否の制御を行うまでの時間を短縮することができる。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１、１Ａ…自動改札機システム、１０…ＩＣカード、１２…カード側通信部、１４…カード側記憶部、１６…カード側制御部、１００…センターサーバ、１１０…サーバ側通信部、１２０…サーバ側制御部、１３０…サーバ側記憶部、１３０Ｂ…効力情報、１３０Ｃ…出場駅情報、１３０Ｄ…通過可否の判定結果、１３２…アカウントＩＤデーターベース、１３４…出場可否データーベース、３００…自動改札機、３１０…改札側制御部、３２０…改札側通信部、３３０…ＩＤ読取部、３４０…改札側記憶部、４００…発券機
【図１】
0006783532.tif 000002
【図２】
0006783532.tif 000003
【図３】
0006783532.tif 000004
【図４】
0006783532.tif 000005
【図５】
0006783532.tif 000006
【図６】
0006783532.tif 000007
【図７】
0006783532.tif 000008
【図８】
0006783532.tif 000009
【図９】
0006783532.tif 000010
【図１０】
0006783532.tif 000011
【図１１】
0006783532.tif 000012
【図１２】
0006783532.tif 000013
【図１３】
0006783532.tif 000014